(57)【要約】　　　（修正有）【課題】形状が千差万別な被装着物となる茶抽出具、（通例　急須、土瓶、ポット等）に装着でき、またその茶漉し取り付け部や、蓋の形状、構造等が多種存在する中、一つの構造を持つ茶こしで、ほとんどすべての、抽出具に装着可能にすること。【解決手段】比較的平面の茶こし外周枠１を柔軟性に富んだ軟性体で形成し、その内側に設けられた、空間部に濾過用素材２を外周枠１に熱溶着や粘着材等で接着し濾過部を形成する。このとき濾過用素材は、外周枠の片面、両面どちらにでも取り付けてもよいし、また外周枠で挟み込むように接着してもよい。外周枠１は、軟性体でなくてもよく、抽出具、急須ポット本体９の流出口６に密着できるものであればよい。濾過用素材２はステンレスの網でもよく、合成樹脂製の網でもよい。又形状も平面だけでなく、三次元的曲面状でもよい。【選択図】図１１
2004000387.tif 000002
【特許請求の範囲】
【請求項１】
本発明は液体抽出具の濾過具に関するものであって、外周枠に柔軟性に富んだ軟性素材を用い、連続帯状に被密着物に対する密着体を構成し、その内孔部には液体に対し濾過能力を有する濾過用素材を設置し外周枠の少なくとも片面に粘着部を有することを特徴とする液体用抽出濾過具。
【請求項２】
本発明は液体抽出具の濾過具に関するものであって、濾過具外周部に軟性素材を用いて連続帯状に被密着物に対する密着体外周枠を形成し、その外周枠の少なくとも片面に熱溶着、粘着、機械的接着、化学的接着、等により濾過用素材と貼着し、その内孔を覆うように設置する。　更にその外周枠の少なくとも片面に粘着剤層を設置し、当該粘着剤層を液体用抽出具の液体流出口内側部に流出口を覆うように取付け使用することを特徴とする液体用抽出濾過具。
【発明の詳細な説明】
【０００１】
【産業上の利用分野】
この発明は、多種にわたる形状等の茶抽出具において、容易に取付け可能で、しかも高性能な濾過性能を発揮する茶こしに関するものである。
【０００２】
【従来の技術】
従来、お茶を入れる際に、茶湯のみ取り出し、他の細かい葉茶等も除去し、お茶をおいしく無駄なく飲用するためには、メッシュ状の茶こしが要求され、いろいろなものが使用されるようになってきた。　しかしその被装着物となる茶抽出具、（通例　急須、土瓶、ポット等）に装着する場合その形状が千差万別であり、またその茶漉し取付け部や、蓋の形状、構造等が多種存在するために、一つの構造の茶こしで、ほとんどすべての、抽出具に装着することは困難であった。
【０００３】
【発明の目的】
本発明は、形状が千差万別な被装着物となる茶抽出具、（通例　急須、土瓶、ポット等）に装着でき、またその茶漉し取り付け部や、蓋の形状、構造等が多種存在する中、一つの構造を持つ茶こしで、ほとんどすべての、抽出具に装着可能にすることを目的とするものである。
これを図面について説明すれば、比較的平面の茶こし外周枠１を柔軟性に富んだ軟性体で形成し、その内側に設けられた、空間部に濾過用素材２を外周枠１に熱溶着や粘着材等で接着し濾過部を形成する。　このとき濾過用素材は、外周枠の片面接着、片面粘着、又両面接着、両面粘着のどちらの方法で取り付けてもよいし、また外周枠で挟み込むように接着や粘着してもよい。
さらに外周枠１の少なくとも片側に粘着材を施し、粘着部３を形成する。通常その粘着部３には、剥離用のシートを貼付した状態で、茶抽出具への茶こし取り付け前状態が存在する。　　なお本発明の外周枠１は、柔軟性に富んだ軟性体でなくてもよく、抽出具の流出口６に密着できるものであればよい。
濾過用素材２はステンレスの網でもよく、合成樹脂製の網でも、セラミック製の物でもよい。又形状も平面だけでなく、三次元的曲面状でもよい。
【０００４】
【発明が解決しようとする課題】
もちろん今までにも、ステンレス網をステンレス線材により嵌着し図１２や図１５等の構造を持った急須ポットにおいて、ごく特定の寸法にのみ装着可能な茶こしは、存在していた。　ここでインサイド取り付け型の特徴は、抽出する茶葉を抽出容器内で自由に泳がせ、その味と香りを十分に引き出せるところにある。しかしその他の形状のものを含め殆どの種類のポット急須に一種類のタイプで対応できるインサイド取付け型の茶こしは存在せず、その登場が待たれていた。
【０００５】
【前記目的を達成するための手段】
本発明は、この欠点を解消するために開発されたものでこれを図面について説明すれば、図１１〜図１５の様々な取り付け部形状を有する各種急須ポットの主要断面において、比較的平面の本発明茶こし外周枠１を柔軟性に富んだ軟性体で形成し、その内側に設けられた空間部を覆うように濾過用素材２を外周枠１に熱溶着や粘着剤等で接着又は粘着固定化し、濾過部を形成する。　この本発明茶こしの外周枠の粘着部３に通常貼付された、剥離紙を剥がして、粘着部３がきちっと露出した状態を確認しつつ、これを急須ポット本体９の内側部に流出口６を覆うようにしっかり固定されることを確認しつつしっかりと貼付し取り付ける。
この状態で取り付けが完了する。　この状態の茶こしが先例にある多種多様の急須ポットに装着可能にするものである。
【０００６】
【発明の作用】本発明は以下の如き作用をなすものである。
本発明は、速やかな透水性を有する濾過用素材２を柔軟性のある外周枠１に接着または粘着されておりその外周枠１が粘着剤層３をもって急須ポット本体９の流出口６から茶葉が流出しないように満遍無く覆うように取り付けでき、その流出口６の形状を問わず図１１〜図１５等のあらゆる形状の急須ポットに装着使用できる。　　この事は一見容易に見えることでありながら、全く達成できず、そう云った製品自身が生まれなかった等この業界の現状を鑑みると、進歩性に優れた発明ということができる。
【０００７】
【実施例】以下に本発明を図面で対比参照しつつ実施例に基づいて説明する。外周枠１の少なくとも片側に粘着剤を施し、粘着部３を形成する。通常その粘着部３には、剥離用のシートを貼付した状態で、急須ポット本体９への取り付け前状態が存在する。
またこの茶こしは簡単に粘着剤で、急須ポット本体９の流出口６を覆うように取付けできるうえメッシュ状等で透水性もよく茶等をスムーズに抽出濾過できる。直接粘着剤で取付けできる外周枠１は、柔軟性に富んだ軟性体で構成されており、またその内側部には、濾過用素材２を配したメッシュ状材料により、フィルター部を構成している。　　以上のように構成された茶こしを急須ポット本体９に流出口６を覆うように粘着部３を利用し貼り付け、しっかりと固定する。
【０００８】
【変形例等】以下に変形例等について説明を補足する。
（１）なお、この明細書において、急須ポットとは、主に陶磁器製の急須やポットや土瓶の事であるが、それ以外のアルミ等金属製の物や、合成樹脂製の　　　物、ガラス製の物も含まれ材質は特に問わない。
（２）また外周枠の柔軟性に富んだ軟性体はスポンジのような発泡素材や、軟質シートまたシリコンゴムなどのようなゴム様素材でもよい。　また軟質のみの構成でなく硬質の外周枠に軟弾性素材を貼り付けたものでもよい。
つまり本発明の外周枠１は、軟性体でなくても急須ポット本体９に密着できるものであればよい。
（３）この濾過用素材２はセラミック等のフィルターでもよく不織布のフィルターでもよい。またメッシュフィルターに関しても、合成樹脂製メッシュでもよいしステンレス等の金属製メッシュでもよい。　　又形状も平面だけでなく、三次元的曲面状でもよい。又このとき濾過用素材２は、外周枠の片面、両面どちらに取付けてもよいし、また外周枠１で挟み込むように接着してもよい。
【図面の簡単な説明】
【図１】本発明の斜視図である。
【図２】本発明の外周枠の斜視図である。
【図３】本発明の濾過用素材例の斜視図である。
【図４】本発明の異なる濾過用素材例の斜視図である。
【図５】本発明の更に異なる濾過用素材例の斜視図である。
【図６】本発明の更に異なる濾過用素材例の斜視図である。
【図７】本発明の実施例の断面図である。
【図８】本発明の異なる実施例の断面図である。
【図９】本発明の更に異なる実施例の断面図である。
【図１０】本発明の更に異なる実施例の断面図である。
【図１１】本発明の使用実施例の断面図である。
【図１２】本発明の異なる使用実施例の断面図である。
【図１３】本発明の更に異なる使用実施例の断面図である。
【図１４】本発明の更に異なる使用実施例の断面図である。
【図１５】本発明の更に異なる使用実施例の断面図である。
【符号の説明】
（１）茶漉し外周枠　（２）濾過用素材　（３）粘着部　（４）取っ手
（５）ヤエン　　　　（６）流出口　　　（７）注入口　（８）注ぎ口
（９）急須ポット本体
【図１】
2004000387.tif 000003
【図２】
2004000387.tif 000004
【図３】
2004000387.tif 000005
【図４】
2004000387.tif 000006
【図５】
2004000387.tif 000007
【図６】
2004000387.tif 000008
【図７】
2004000387.tif 000009
【図８】
2004000387.tif 000010
【図９】
2004000387.tif 000011
【図１０】
2004000387.tif 000012
【図１１】
2004000387.tif 000013
【図１２】
2004000387.tif 000014
【図１３】
2004000387.tif 000015
【図１４】
2004000387.tif 000016
【図１５】
2004000387.tif 000017